(57)【要約】【課題】観音式扉の回転仕切体が回動する際の接触音を低減する冷蔵庫の扉装置を提供する。【解決手段】貯蔵室の前面開口部を閉塞するように観音開き式の第１扉２と第２扉３を設け、当該扉の非枢支側内面に回転仕切体４を設けた冷蔵庫１の扉装置において、回転仕切体４の回転動作により接する壁面に対向する回転仕切体構成面に衝撃緩和材１０を設けるとともに、衝撃緩和材１０と前記壁面とは線接触する様に配設したものであり、壁面と衝撃緩和材１０との接触面積が減少し、接触時の接触音を低減することができる。【選択図】図３
2005156107.tif 000002
【特許請求の範囲】
【請求項１】
貯蔵室の前面開口部を閉塞するように観音開き式の扉を設け、当該扉の非枢支側内面に回転仕切体を設けた冷蔵庫の扉装置において、前記回転仕切体の回転動作により接する壁面に対向する前記回転仕切体構成面に衝撃緩和材を設けるとともに、前記衝撃緩和材と前記壁面とは線接触する様に配設されていることを特徴とする冷蔵庫の扉装置。
【請求項２】
回転仕切体に設けた衝撃緩和材は、壁面との接触部が断面山型で稜線を回転仕切体の長手方向に形成し、壁面との衝撃力を幾何形状的に緩和することを特徴とする請求項１に記載の冷蔵庫の扉装置。
【請求項３】
衝撃緩和材の壁面との線接触部は回転仕切体の回転軸から遠い側に配設したことを特徴とする請求項１または２に記載の冷蔵庫の扉装置。
【請求項４】
衝撃緩和材の回転仕切体への取付け強度を増すため、衝撃緩和材を回転仕切体取付面の逆方向に反り勝手にして回転仕切体へ密着固定させることを特徴とする請求項１から３のいずれか一項に記載の冷蔵庫の扉装置。
【請求項５】
衝撃緩和材は弾性体にて成形し、回転仕切体の長手方向に複数個配置したことを特徴とする請求項１から４のいずれか一項に記載の冷蔵庫の扉装置。
【発明の詳細な説明】
【技術分野】
【０００１】
本発明は、回転仕切体を有する観音開き冷蔵庫の扉装置に関するものである。
【背景技術】
【０００２】
従来、この種の冷蔵庫の扉装置は、回転仕切体が保持具に衝突した時の衝撃を緩和するため緩衝材が組み込まれている（例えば、特許文献１参照）。
【０００３】
図４は、特許文献１に記載された従来の冷蔵庫の回転仕切体を備えた扉の断面図を示すものである。図４において、１００は貯蔵室の前面開口部に設けた扉であり、１０１は前記扉に備え付けられた回転仕切体、前記回転仕切体の取付板１０２、保持具１０３、衝撃緩和材１０４を備えている。
【０００４】
上記構成において、仕切体を備える扉を開ける時には、前記仕切体が回動して衝撃緩和材１０４を介して、保持具１０３で保持される。また、この扉を閉める時には、前記仕切体が反対方向に回動して扉が閉じられる。
【特許文献１】特開２０００−４６４５９号公報
【発明の開示】
【発明が解決しようとする課題】
【０００５】
しかしながら、上記従来の構成では、仕切部材が回動して保持部に保持される際、仕切部材と衝撃緩和材が、広範囲に面で接触するため、接触音がまだ大きいという課題を有していた。
【０００６】
本発明は上記従来の課題を解決するもので、上記仕切部材が回動する際の接触音を低減する冷蔵庫の扉装置を提供することを目的とする。
【課題を解決するための手段】
【０００７】
上記従来の課題を解決するために、本発明の冷蔵庫の扉装置は、扉の開閉時に回転仕切体が回動し壁面に回転仕切体の衝突面に設けた衝撃緩和材が接触する際に、前記保持部と衝撃緩和材が線接触する様に配設したものである。
【発明の効果】
【０００８】
これにより、保持部と衝撃緩和材との接触面積が減少し、接触時の接触音を低減することができる。
【発明を実施するための最良の形態】
【０００９】
請求項１に記載の発明は、貯蔵室の前面開口部を閉塞するように観音開き式の扉を設け、当該扉の非枢支側内面に回転仕切体を設けた冷蔵庫の扉装置において、前記回転仕切体の回転動作により接する壁面に対向する前記回転仕切体構成面に衝撃緩和材を設けるとともに、前記衝撃緩和材と前記壁面とは線接触する様に配設したものであり、壁面と衝撃緩和材との接触面積が減少し、接触時の接触音を低減することができる。
【００１０】
請求項２に記載の発明は、請求項１の発明において、回転仕切体に設けた衝撃緩和材は、壁面との接触部が断面山型で稜線を回転仕切体の長手方向に形成し、壁面との衝撃力を幾何形状的に緩和するものであり、仕切体と保持部の接触時の接触音を確実に低減することができる。
【００１１】
請求項３に記載の発明は、請求項１または２に記載の発明において、衝撃緩和材の壁面との線接触部は回転仕切体の回転軸から遠い側に配設したものであり、衝突時の衝撃で回転仕切体の端部が壁面に接触することがないので、回転仕切体と壁面の接触時の接触音を確実に低減することができる。
【００１２】
請求項４に記載の発明は、請求項１から３のいずれか一項に記載の発明において、衝撃緩和材の回転仕切体への取付け強度を増すため、衝撃緩和材を回転仕切体取付面の逆方向に反り勝手にして回転仕切体へ密着固定させたものであり、仕切体との取付け強度を増すことができる。また、取付後の経年変化による衝撃緩和材の端面の浮き等を防止することができ、長期的に回転仕切体と壁面の接触時の接触音を確実に低減することができる。
【００１３】
請求項５に記載の発明は、請求項１から４のいずれか一項に記載の発明において、衝撃緩和材は弾性体にて成形し、回転仕切体の長手方向に複数個配置したものであり、回転仕切体と壁面の接触時の接触音を確実に低減することができるとともに、材料低減による低コスト化が図れる。また、幅、長さの異なる回転仕切体に対しても衝撃緩和材の兼用化が可能となり、さらに低コスト化が図れる。
【００１４】
以下、本発明の実施の形態について、図面を参照しながら説明する。なお、この実施の形態によってこの発明が限定されるものではない。
【００１５】
（実施の形態１）
図１は、本発明の実施の形態１による観音開き式冷蔵庫の概略上面図である。図２は、扉の斜視図。図３は、回転仕切体を示す断面図である。
【００１６】
図１において、冷蔵庫１の収納庫は両開き式の一対の扉によって開閉されるものであり、この一対の扉をなす第１扉２と第２扉３は、それぞれ外側がヒンジにより冷蔵庫１に軸支持されている。
【００１７】
前記第１扉２、第２扉３は、図２に示すように、外面材５と、内面材６、上キャップ７、下キャップ８から構成される閉空間に断熱材９を充填して扉本体が構成される。前記第１扉２の開放端側には、第２扉３側へ進退する様に回動する回転仕切体４が内面材６に取り付けてある。前記回転仕切体４の内面材６の壁面との接触面には、図２、３に示すように、弾力性のあるゴムにて成形された衝撃緩和材１０が取付けてある。
【００１８】
前記衝撃緩和材１０は、内面材６の壁面との接触部が断面山型とし山型先端部１１を備え、前記山型の稜線を回転仕切体４の長手方向に形成している。また、山型先端部１１の先端は回転仕切体４の取付面の端部より回転外周方向に位置するような形状としている。
【００１９】
また、衝撃緩和材１０の壁面との線接触部は回転仕切体４の回転軸１２から遠い側に配設している。
【００２０】
また、衝撃緩和材１０の回転仕切体４への取付け強度を増すため、衝撃緩和材１０を回転仕切体取付面の逆方向に反り勝手にして回転仕切体４へ密着固定させている。
【００２１】
また、衝撃緩和材１０はゴム等の弾性体からなり、回転仕切体４の長手方向に間隔を空けて複数個配置している。
【００２２】
上記構成により、第１扉２と第２扉３が閉じている時、回転仕切体４は図３のａ方向に倒れており、第１扉２と第２扉３の間の隙を閉じる働きをしている。一方、第１扉２を開ける時、回転仕切体４が回転軸１２を起点に図３のｂ方向へ回動し、回転仕切体４が第２扉３を避けることで、第１扉２が開閉可能になる。この際、回転仕切体４は内面材６の壁面と衝撃緩和材１０を介して接触するが、内面材６の壁面は衝撃緩和材１０の山型先端部１１でまず線接触するので、面全体で接触する場合に比べ接触面積が減り、接触時の接触音を低減することができる。
【００２３】
また、衝撃緩和材１０は山型先端部１１を形成し、山型先端部１１の先端は回転仕切体４の取付面の端部より回転外周方向に位置するような形状としているので、衝撃緩和材１０の先端部が内面材６の壁面へ接触時に衝撃で回転外周方向に変形し幾何形状的に衝撃力を緩和できる。これにより、衝撃緩和材１０と内面材６の接触時の接触音をさらに低減することができる。
【００２４】
また、衝撃緩和材１０の壁面との線接触部は回転仕切体４の回転軸１２から遠い側に配設しているので、衝突時の衝撃で回転仕切体４の端部が壁面に接触することがないので、回転仕切体４と壁面の接触時の接触音を確実に低減することができる。
【００２５】
また、衝撃緩和材１０の回転仕切体４への取付け強度を増すため、衝撃緩和材１０を回転仕切体取付面の逆方向に反り勝手にして回転仕切体４へ密着固定させているので、仕切体との取付け強度を増すことができる。また、取付後の経年変化による衝撃緩和材の端面の浮き等を防止することができ、長期的に回転仕切体と壁面の接触時の接触音を確実に低減することができる。
【００２６】
また、衝撃緩和材１０はゴム等の弾性体からなり、回転仕切体４の長手方向に間隔を空けて複数個配置しているので、回転仕切体と壁面の接触時の接触音を確実に低減することができるとともに、材料低減による低コスト化が図れる。また、幅、長さの異なる回転仕切体に対しても衝撃緩和材の兼用化が可能となり、さらに低コスト化が図れる。
【産業上の利用可能性】
【００２７】
以上のように、本発明にかかる冷蔵庫の扉装置は、扉の開閉時の回転仕切体と保持部の接触音を低減することで、扉開閉時の開閉音を低減できるため、冷凍装置等の回転仕切体を有する観音開き式の扉装置にも適用できる。
【図面の簡単な説明】
【００２８】
【図１】本発明の実施の形態１による観音開き式冷蔵庫の概略上面図
【図２】本発明の実施の形態１による観音開き式冷蔵庫の扉の斜視図
【図３】本発明の実施の形態１による観音開き式冷蔵庫の回転仕切体を示す断面図
【図４】従来の冷蔵庫の回転仕切体を備えた扉の断面図
【符号の説明】
【００２９】
１    冷蔵庫
２    第１扉
３    第２扉
４    回転仕切体
１０    衝撃緩和材
１１    山型先端部
１２    回転軸
【図１】
2005156107.tif 000003
【図２】
2005156107.tif 000004
【図３】
2005156107.tif 000005
【図４】
2005156107.tif 000006